(57)【要約】【課題】利便性を向上できる電力監視システムを提供する。【解決手段】電力使用量を計測して出力する複数の電力量計３０と、電力量計３０に接続されるとともに過去の日毎に１日を所定時間で細分化した計測時間帯別の電力使用量に基づく管理画面２０を表示する管理装置１０とを備えた電力監視システム１において、管理装置１０が計測時間帯内の電力使用量の目標値を設定するとともに所望の電力量計３０を選択する操作部１４を有し、操作部１４による所定の指示を行った際に、目標値を超えた計測時間帯を含む第１平滑期間の操作部１４で選択した電力量計３０の電力使用量と、第１平滑期間に対して隣接する計測時間帯を含む第２平滑期間の操作部１４で選択した電力量計３０の電力使用量とを平滑化する平滑化処理の結果を管理画面２０に表示する。【選択図】図１２
2014147218.tif 000002
【特許請求の範囲】
【請求項１】
電力使用量を計測して出力する複数の電力量計と、前記電力量計に接続されるとともに過去の日毎に１日を所定時間で細分化した計測時間帯別の電力使用量に基づく管理画面を表示する管理装置とを備えた電力監視システムにおいて、前記管理装置が前記計測時間帯内の電力使用量の目標値を設定するとともに所望の前記電力量計を選択する操作部を有し、前記操作部による所定の指示を行った際に、前記目標値を超えた前記計測時間帯を含む第１平滑期間の前記操作部で選択した前記電力量計の電力使用量と、第１平滑期間に対して隣接する前記計測時間帯を含む第２平滑期間の前記操作部で選択した前記電力量計の電力使用量とを平滑化する平滑化処理の結果を前記管理画面に表示することを特徴とする電力監視システム。
【請求項２】
第１平滑期間が一または連続して前記目標値を超えた複数の前記計測時間帯に設定され、第２平滑期間が第１平滑期間の前後に隣接する前記計測時間帯に設定されることを特徴とする請求項１に記載の電力監視システム。
【請求項３】
前記目標値を超えた前記計測時間帯に対して隣々接の前記計測時間帯が前記目標値を超えた場合に、先の前記目標値を超えた前記計測時間帯から後の前記目標値を超えた前記計測時間帯までを第１平滑期間に設定したことを特徴とする請求項２に記載の電力監視システム。
【請求項４】
前記管理画面が各日を一覧表示し、前記目標値を超えた前記計測時間帯を含む日に第１目印を表示するとともに、前記平滑化処理によって各前記計測時間帯が前記目標値よりも低くなった日に対して第１目印と異なる第２目印を表示したことを特徴とする請求項１〜請求項３のいずれかに記載の電力監視システム。
【請求項５】
前記計測時間帯を３０分または６０分に設定し、前記平滑化処理が第１平滑期間の電力使用量と第２平滑期間の電力使用量とを平均することを特徴とする請求項１〜請求項４のいずれかに記載の電力監視システム。
【発明の詳細な説明】
【技術分野】
【０００１】
本発明は、電力量計により検出される電力使用量を監視する電力監視システムに関する。
【背景技術】
【０００２】
従来の電力監視システムは特許文献１に開示されている。この電力監視システムは電力使用量を計測して出力する電力量計と、電力量計に接続される管理装置とを備えている。管理装置は電力量計の出力を記憶し、過去の日毎に１日を所定時間（例えば、３０分）で細分化した計測時間帯別の電力使用量を表示する。これにより、各日の計測時間帯別の電力使用量を使用者が把握し、節電等のための分析を行うことができる。
【先行技術文献】
【特許文献】
【０００３】
【特許文献１】特開２０１２−１２３０５９号公報（第５頁〜第１９頁、第２図）
【発明の概要】
【発明が解決しようとする課題】
【０００４】
近年、電力の供給不足を回避するために電力使用量が集中する時間帯を避けて電力使用を分散させることが望まれている。また、事業者向けの電力基本料金はピーク時の電力使用量から算出されるため、電力使用を分散させることにより事業のコストを削減することができる。
【０００５】
この時、上記従来の電力監視システムによると、計測時間帯別の全体の電力使用量を把握できるが、用途等に応じて電力使用を分散させるための分析を容易に行うことができない。従って、電力監視システムの利便性が悪い問題があった。
【０００６】
本発明は、利便性を向上できる電力監視システムを提供することを目的とする。
【課題を解決するための手段】
【０００７】
上記目的を達成するために本発明は、電力使用量を計測して出力する複数の電力量計と、前記電力量計に接続されるとともに過去の日毎に１日を所定時間で細分化した計測時間帯別の電力使用量に基づく管理画面を表示する管理装置とを備えた電力監視システムにおいて、前記管理装置が前記計測時間帯内の電力使用量の目標値を設定するとともに所望の前記電力量計を選択する操作部を有し、前記操作部による所定の指示を行った際に、前記目標値を超えた前記計測時間帯を含む第１平滑期間の前記操作部で選択した前記電力量計の電力使用量と、第１平滑期間に対して隣接する前記計測時間帯を含む第２平滑期間の前記操作部で選択した前記電力量計の電力使用量とを平滑化する平滑化処理の結果を前記管理画面に表示することを特徴としている。
【０００８】
この構成によると、電力量計によって電力使用量が計測して出力され、管理装置に保管される。管理装置は過去の各日を分割した計測時間帯別の電力使用量に基づく管理画面を表示する。操作部により電力使用量の目標値を設定して電力量計を選択し、平滑化処理の指示を行うと、平滑化処理の結果が管理画面に表示される。平滑化処理は選択された電力量計に対応する電力使用量を第１平滑期間及び第２平滑期間で平滑化する。第１平滑期間は目標値を超える計測時間帯を含む所定の時間範囲であり、第２平滑期間は第１平滑期間に隣接した計測時間帯を含む所定の時間範囲である。
【０００９】
また本発明は、上記構成の電力監視システムにおいて、第１平滑期間が一または連続して前記目標値を超えた複数の前記計測時間帯から成るとともに、第２平滑期間が第１平滑期間の前後に隣接する前記計測時間帯から成ることを特徴としている。
【００１０】
また本発明は、上記構成の電力監視システムにおいて、前記目標値を超えた前記計測時間帯に対して隣々接の前記計測時間帯が前記目標値を超えた場合に、先の前記目標値を超えた前記計測時間帯から後の前記目標値を超えた前記計測時間帯までを第１平滑期間にしたことを特徴としている。
【００１１】
また本発明は、上記構成の電力監視システムにおいて、前記管理画面が各日を一覧表示し、前記目標値を超えた前記計測時間帯を含む日に第１目印を表示するとともに、前記平滑化処理によって各前記計測時間帯が前記目標値よりも低くなった日に対して第１目印と異なる第２目印を表示したことを特徴としている。
【００１２】
また本発明は、上記構成の電力監視システムにおいて、前記管理画面上で所望の日を選択した際に、該日の前記計測時間帯毎に、各前記電力量計の電力使用量及び各前記電力量計の電力使用量の合計を示す内訳画面を表示することを特徴としている。
【００１３】
また本発明は、上記構成の電力監視システムにおいて、前記計測時間帯を３０分または６０分に設定し、前記平滑化処理が第１平滑期間の電力使用量と第２平滑期間の電力使用量とを平均することを特徴としている。
【発明の効果】
【００１４】
本発明によると、操作部により所望の電力量計が選択され、目標値を超えた計測時間帯を含む第１平滑期間と第１平滑期間に対して隣接する計測時間帯を含む第２平滑期間との電力使用量を平滑化する平滑化処理が選択した電力量計に対して行われる。これにより、用途別や設置場所別等の電力量計に応じて電力使用を分散させるための分析を容易に行うことができる。従って、電力監視システム１の利便性を向上することができる。
【図面の簡単な説明】
【００１５】
【図１】本発明の実施形態の電力監視システムを示すブロック図
【図２】本発明の実施形態の電力監視システムの管理画面を示す図
【図３】図２に対して照明機器、空調機器、厨房機器の平滑化処理後の管理画面を示す図
【図４】本発明の実施形態の電力監視システムの他の目標値の管理画面を示す図
【図５】図４の所定日に対応する内訳画面を示す図
【図６】図４に対して照明機器、空調機器、厨房機器の平滑化処理後の管理画面を示す図
【図７】図６の所定日に対応する内訳画面を示す図
【図８】図４に対して空調機器の平滑化処理後の管理画面を示す図
【図９】図８の所定日に対応する内訳画面を示す図
【図１０】図４に対して厨房機器の平滑化処理後の管理画面を示す図
【図１１】図１０の所定日に対応する内訳画面を示す図
【図１２】図４に対して空調機器、厨房機器の平滑化処理後の管理画面を示す図
【図１３】図１２の所定日に対応する内訳画面を示す図
【発明を実施するための形態】
【００１６】
＜第１実施形態＞
以下に図面を参照して本発明の実施形態を説明する。図１は一実施形態の電力監視システムの構成を示すブロック図である。電力監視システム１は管理装置１０と、複数の電力量計３１、３２、３３とを備えている。以下の説明において、電力量計３１、３２、３３を総称して電力量計３０という場合がある。
【００１７】
電力量計３０は用途別や設置場所別に分類される。本実施形態では電力量計３０が用途別に分類され、電力量計３１、３２、３３はそれぞれ照明機器用の配線、空調機器用の配線、厨房機器用の配線が集約される。
【００１８】
管理装置１０はパーソナルコンピュータ等により構成され、各部を制御するＣＰＵを含む制御部１１に通信部１２、表示部１３、操作部１４及び記憶部１５が接続される。通信部１２は各電力量計３０と通信を行う。表示部１３は管理装置１０の操作画面や管理画面２０（図２参照）等を表示する。操作部１４はキーボードやマウス等により入力操作を行う。記憶部１５はＲＡＭ、ＲＯＭ、ハードディスクドライブ等から成り、管理装置１０の動作プログラムや各種データを記憶するとともに制御部１１の演算結果を一時記憶する。
【００１９】
管理装置１０は通信部１２と各電力量計３０との通信によって電力量計３０から出力される電力を取得する。これにより、各電力量計３０の出力を集計して建物の内部等の電力使用量を監視することができる。
【００２０】
この時、管理装置１０は電力量計３０から出力される電力使用量を所定時間で１日を細分化した計測時間帯別に記憶部１５に記憶する。これにより、過去の日の計測時間帯別の電力使用量を記憶部１５から読み出し、計測時間帯別の電力使用量を示す管理画面２０（図２参照）を表示部１３に表示することができる。計測時間帯は電力需給の時間分布に用いられる時間幅や電力料金の電力量検出の時間幅に設定される３０分や６０分に設定すると電力監視システム１による分析が容易になるので望ましい。尚、表示部１３に計測時間帯毎の電力使用量が表示される場合、電力使用量は該当する計測時間帯における使用電力の平均値として表示される。
【００２１】
図２は計測時間帯毎の電力使用量に基づく管理画面２０を示す図である。管理画面２０には過去の各日をカレンダ形式で一覧表示する一覧表示部２１が設けられる。一覧表示部２１の下方には計測時間帯内の電力使用量の目標値を操作部１４により数値入力する目標設定部２２が設けられる。
【００２２】
目標設定部２２の下方には平滑化処理を行う電力量計３１、３２、３３を操作部１４により選択する選択部２３が設けられる。平滑化処理の詳細は後述するが、複数の計測時間帯の電力量計３０毎の電力使用量を平均して平滑化する。選択部２３は電力量計３１、３２、３３にそれぞれ対応する「照明」、「空調」、「厨房」のラベルを有した複数のチェックボックスにより形成される。
【００２３】
【表１】
2014147218.tif 000003
【００２４】
表１は記憶部１５に記憶される電力使用量のデータと、目標値に対する達成状況の判定結果との一例を示している。同表は日付が７／１４及び７／１５の照明機器用の電力量計３１、空調機器用の電力量計３２、厨房機器用の電力量計３３の各電力使用量が計測時間帯別に読み出されたデータを含む。また、計測時間帯は３０分に設定されている。
【００２５】
７／１４の目標値が３１．０ｋＷの場合は、１１：３０〜１３：３０の間で電力量計３１、３２、３３の合計の電力使用量が目標値を超えている。このため、１日の総合判定は目標未達成（「×」で示す）である。７／１４の目標値が３３．０ｋＷ及び３３．２ｋＷの場合は、１２：３０〜１３：００の間で電力量計３１、３２、３３の合計の電力使用量が目標値を超えている。このため、１日の総合判定は目標未達成である。
【００２６】
７／１５の目標値が３１．０ｋＷの場合は、１１：３０〜１３：３０の間で電力量計３１、３２、３３の合計の電力使用量が目標値を超えている。このため、１日の総合判定は目標未達成である。７／１５の目標値が３３．０ｋＷ及び３３．２ｋＷの場合は、１２：００〜１２：３０及び１３：００〜１３：３０の間で電力量計３１、３２、３３の合計の電力使用量が目標値を超えている。このため、１日の総合判定は目標未達成である。
【００２７】
前述の図２の管理画面２０は電力使用量の目標値が３１．０ｋＷの場合において、平滑化処理を行っていない状態を示している。これによると、総合判定が目標未達成の日付（７／３、７／７、７／８、７／１４、７／１５）に対して文字を太字にした第１目印が表示される。目標未達成の日付に対して他の文字装飾や、前景色や背景色の変更等によって第１目印を表示してもよい。
【００２８】
また、図３の管理画面２０は電力使用量の目標値が３１．０ｋＷの場合において、電力量計３１、３２、３３に対して平滑化処理を行った状態を示している。総合判定が目標達成に切り替った日付（７／３）に対して文字に下線を付した第２目印が表示される。目標達成の日付に対して他の文字装飾や、前景色や背景色の変更等によって第２目印を表示してもよい。尚、表１に示すように、７／１４及び７／１５は１日の平均の電力使用量が３１．０ｋＷを超えるので、平滑化処理を行っても総合判定が目標未達成となる。
【００２９】
図４の管理画面２０は電力使用量の目標値が３３．２ｋＷの場合において、平滑化処理を行っていない状態を示している。これによると、総合判定が目標未達成の日付（７／８、７／１４、７／１５）に対して文字を太字にした第１目印が表示される。
【００３０】
この時、日付をマウス操作等によって選択すると、図５に示す内訳画面が表示される。同図は７／１４の内訳画面を示している。内訳画面は選択した日の計測時間帯毎に各電力量計３０の電力使用量及びその合計がグラフ表示される。図中、破線は目標値を示している。これにより、電力使用量の内訳を使用者が容易に把握することができる。内訳画面を表により作成してもよい。
【００３１】
前述したように、管理画面２０の選択部２３により電力量計３０が選択されると、平滑化処理を行った結果が表示される。平滑化処理は選択された電力量計３０に対応する電力使用量を所定の第１平滑期間及び第２平滑期間で平均して平滑化する。第１平滑化期間は目標値を超えた計測時間帯に設定され、第２平滑化期間は第１平滑化期間の前後に隣接する計測時間帯に設定される。第２平滑化期間を第１平滑化期間の前後の一方のみに隣接する計測時間帯に設定してもよい。
【００３２】
例えば、前述の表１に示す７／１４の場合は、目標値が３３．２ｋＷの時に１２：３０〜１３：００の計測時間帯で目標値を超える。このため、１２：３０〜１３：００が第１平滑化期間であり、１２：００〜１２：３０及び１３：００〜１３：３０が第２平滑化期間である。１２：００〜１２：３０及び１３：００〜１３：３０の一方のみを第２平滑化期間としてもよい。
【００３３】
また、目標値を超えた計測時間帯が連続する場合は、連続して目標値を超えた複数の計測時間帯が第１平滑化期間に設定される。第２平滑化期間は第１平滑化期間の前後に隣接する計測時間帯に設定される。第２平滑化期間を第１平滑化期間の前後の一方のみに隣接する計測時間帯に設定してもよい。この時、第１、第２平滑化期間が短時間である方が平滑化処理の結果に応じて容易に電力使用を分散させることができる。このため、第１平滑化期間が所定時間（例えば３時間）を超えると目標値の再設定を促す警告報知を行ってもよい。
【００３４】
また、目標値を超えた計測時間帯に対して隣々接の計測時間帯が目標値を超えた場合に、先の目標値を超えた計測時間帯から後の目標値を超えた計測時間帯までが第１平滑期間に設定される。この時、第２平滑化期間は第１平滑化期間の前後に隣接する計測時間帯に設定される。第２平滑化期間を第１平滑化期間の前後の一方のみに隣接する計測時間帯に設定してもよい。これにより、目標値を超えた計測時間帯の間の計測時間帯が重複して平滑化されることを防止し、平滑化処理後の分析を容易にすることができる。
【００３５】
例えば、前述の表１に示す７／１５の場合は、目標値が３３．２ｋＷの時に１２：００〜１２：３０及び１３：００〜１３：３０の計測時間帯で目標値を超える。このため、１２：００〜１３：３０が第１平滑化期間であり、１１：３０〜１２：００及び１３：３０〜１４：００が第２平滑化期間である。１１：３０〜１２：００及び１３：３０〜１４：００の一方のみを第２平滑化期間としてもよい。
【００３６】
尚、目標値を超えた計測時間帯を含む連続した複数の計測時間帯を第１平滑化期間に設定し、第１平滑化期間の前後に隣接する計測時間帯を含むそれぞれ連続した複数の計測時間帯を第２平滑化期間に設定してもよい。また、第２平滑化期間を第１平滑化期間の前のみに隣接した計測時間帯を含む連続した複数の計測時間帯にしてもよく、後のみに隣接した計測時間帯を含む連続した複数の計測時間帯にしてもよい。この時、第１、第２平滑化期間が短時間である方が平滑化処理の結果に応じて容易に電力使用を分散させることができる。このため、第１、第２平滑化期間の合計を例えば４時間以内にするとよい。
【００３７】
また、第１、第２平滑化期間の電力使用量を平均して平滑化処理を行うが、他の方法で平滑化してもよい。例えば、選択部２３で選択された電力量計３０の第１平滑化期間の電力使用量と第２平滑化期間の電力使用量とを置換して平滑化処理を行ってもよい。
【００３８】
【表２】
2014147218.tif 000004
【００３９】
表２は表１のデータに対して電力使用量の目標値が３３．２ｋＷの時の平滑化処理を行った結果の一例である。同表は７／１４及び７／１５について平滑化処理を照明機器用の電力量計３１、空調機器用の電力量計３２及び厨房機器用の電力量計３３に対して行った場合、空調機器用の電力量計３２のみに対して行った場合、厨房機器用の電力量計３３のみに対して行った場合、空調機器用の電力量計３２及び厨房機器用の電力量計３３に対して行った場合の電力使用量及び判定結果を示している。
【００４０】
図６に示すように選択部２３により「照明」、「空調」及び「厨房」が選択されると、表２に基づいて各電力量計３１〜３３に対して平滑化処理を行った結果が管理画面２０に表示される。これにより、図４の管理画面２０に対して総合判定が目標達成に切り替った日付（７／８、７／１４、７／１５）に第２目印（下線）が表示される。
【００４１】
これにより、過去のすべての日に対して平滑化によって目標値を達成できることを使用者が容易に判別することができる。この時、例えば７／１４の日付を選択すると、図７に示す内訳画面が表示され、電力使用量の目標達成状況をより詳しく把握することができる。
【００４２】
更に分析するために、図８に示すように選択部２３により「空調」のみが選択されると、表２に基づいて電力量計３２に対して平滑化処理を行った結果が管理画面２０に表示される。これにより、図４の管理画面２０に対して総合判定が目標達成に切り替った日付（７／８）に第２目印（下線）が表示される。これにより、７／１４、７／１５について空調機器のみの電力使用の分散では目標値を達成できないことを容易に判別できる。この時、例えば７／１４の日付を選択すると、図９に示す内訳画面が表示される。
【００４３】
また、図１０に示すように選択部２３により「厨房」のみが選択されると、表２に基づいて電力量計３３に対して平滑化処理を行った結果が管理画面２０に表示される。これにより、図４の管理画面２０に対して総合判定が目標達成に切り替った日付（７／８）に第２目印（下線）が表示される。これにより、７／１４、７／１５について厨房機器のみの電力使用の分散では目標値を達成できないことを容易に判別できる。この時、例えば７／１４の日付を選択すると、図１１に示す内訳画面が表示される。
【００４４】
また、図１２に示すように選択部２３により「空調」及び「厨房」が選択されると、表２に基づいて電力量計３２、３３に対して平滑化処理を行った結果が管理画面２０に表示される。これにより、図４の管理画面２０に対して総合判定が目標達成に切り替った日付（７／８、７／１４／７／１５）に第２目印（下線）が表示される。
【００４５】
これにより、過去のすべての日に対して空調機器及び厨房機器に対して電力使用を分散させることによって目標値を達成できることを使用者が容易に判別することができる。この時、例えば、７／１４の日付を選択すると、図１３に示す内訳画面が表示される。
【００４６】
本実施形態によると、操作部１４により所望の電力量計３０が選択され、目標値を超えた計測時間帯を含む第１平滑期間と第１平滑期間に対して隣接する計測時間帯を含む第２平滑期間との電力使用量を平滑化する平滑化処理が選択した電力量計３０に対して行われる。これにより、用途別や設置場所別等の電力量計３０に応じて電力使用を分散させるための分析を容易に行うことができる。従って、電力監視システム１の利便性を向上することができる。
【００４７】
また、第１平滑期間が一または連続して目標値を超えた複数の計測時間帯に設定され、第２平滑期間が第１平滑期間の前後に隣接する計測時間帯に設定される。これにより、第１、第２平滑化期間が短時間に設定され、平滑化処理の結果に基づいて電力使用を分散させることを容易に行うことができる。
【００４８】
また、目標値を超えた計測時間帯に対して隣々接の計測時間帯が目標値を超えた場合に、先の目標値を超えた計測時間帯から後の目標値を超えた計測時間帯までを第１平滑期間に設定している。これにより、目標値を超えた計測時間帯の間の計測時間帯が重複して平滑化されることを防止し、平滑化処理後の分析を容易にすることができる。
【００４９】
また、管理画面２０が各日を一覧表示する一覧表示部２１を有し、目標値を超えた計測時間帯を含む日に太字等の第１目印を表示し、平滑化処理によって各計測時間帯が目標値よりも低くなった日に対して第１目印と異なる下線等の第２目印を表示している。これにより、目標値の達成状況を容易に判別することができる。
【００５０】
また、管理画面２０上で日付を選択した際に該日の内訳画面を表示するので、電力使用量の目標達成状況をより詳しく把握することができる。
【００５１】
また、計測時間帯を３０分または６０分に設定し、平滑化処理が第１平滑期間の電力使用量と第２平滑期間の電力使用量とを平均する。これにより、電力需給の時間分布の時間幅や電力料金の電力量検出の時間幅に対応して電力使用を分散させるための分析を容易に行うことができる。
【産業上の利用可能性】
【００５２】
本発明によると、電力量計により検出される電力使用量を監視する電力監視システムに利用することができる。
【符号の説明】
【００５３】
１    電力監視システム
１０    管理装置
１１    制御部
１２    通信部
１３    表示部
１４    操作部
１５    記憶部
２０    管理画面
２１    一覧表示部
２２    目標設定部
２３    選択部
３０〜３３  電力量計
【図１】
2014147218.tif 000005
【図２】
2014147218.tif 000006
【図３】
2014147218.tif 000007
【図４】
2014147218.tif 000008
【図５】
2014147218.tif 000009
【図６】
2014147218.tif 000010
【図７】
2014147218.tif 000011
【図８】
2014147218.tif 000012
【図９】
2014147218.tif 000013
【図１０】
2014147218.tif 000014
【図１１】
2014147218.tif 000015
【図１２】
2014147218.tif 000016
【図１３】
2014147218.tif 000017